(57)【要約】【課題】掛布団と敷布団とで身体を一体的に挟持して、保温性を向上させ、温かく且つ快適に就寝することができる布団を提供する。【解決手段】身体の方向に長い楕円形のキルティングを中央部に形成した敷布団と、上端に頭部の出る凹部を形成し、両側部と下部に中央に向けて山形の互いに交叉しないキルティングを形成した掛布団とで、身体に十分密着して保持できるようにした。【選択図】        図１
2004160063.tif 000002
【特許請求の範囲】
【請求項１】
身体の方向に長い楕円形のキルティングを中央部に形成した敷布団と、両側部と下部に中央に向けて山形の互いに交叉しないアーチ状キルティングを形成した掛布団と、を具備したことを特徴とする身体に密着して熱を逃がさないようにすることにより保温性を高めた布団。
【請求項２】
前記掛布団の上端に頭部の出る凹部を形成してなる請求項１記載の布団。
【請求項３】
前記掛布団の中綿が、ポリエステルの短繊維である請求項１又は２記載の布団。
【請求項４】
前記敷布団の楕円形キルティングには、他部の１．５倍〜２．５倍の中綿を充填して、他部より高くなるように形成してなる請求項１〜３のいずれかに記載の布団。
【請求項５】
前記敷布団の上下には、前記楕円形のキルティング方向に山形の楕円形キルティングとは交叉しないアーチ状キルティングを施してなる請求項１〜４のいずれかに記載の布団。
【発明の詳細な説明】
【０００１】
【発明が属する技術分野】
この発明は、敷布団と掛布団とに身体を包み込むようなキルティングを施して、保温性を著しく高めた布団に関する。
【０００２】
【従来の技術】
従来、寒い季節の就寝時には、厚手の掛布団を用いたり、掛布団の枚数を増やすなどして保温効果を増大させている。しかして、掛布団が厚手になると就寝者の肩や襟元への掛布団の密着性が低下して、肩や襟元の部分に大きな隙間が形成され、そこから冷気が進入して温かく快適に眠ることができない。
【０００３】
このため就寝時における寒さを防ぐために、掛布団に関するさまざまな工夫がなされている。例えば、顔の位置する部分に凹部を形成して、肩口周辺からの外気の進入を防止した掛布団が提案されている（特開平１１−３３２７１５号公報参照）。
【０００４】
【特許文献１】
特開平１１−３３２７１５号公報
【発明が解決しようとする課題】
しかしながら、上記掛布団は、肩口周辺からの外気の進入は防止できるが、身体と布団とが十分密着しないので、隙間が生じ、温かく快適に睡眠できるという目的には極めて不満足であった。特に、近年の掛布団は、中綿の動きを押えるキルティングが格子状に施されており、そのため必然的に多数の凹凸部が形成されるので、身体と布団との一体化は必然的に阻害される。
【０００５】
この発明は、このような点に着目してなされたものであり、掛布団と敷布団とで身体に十分密着し得るように挟持して、保温性を向上させ、温かく且つ快適に就寝できる布団を提供することを目的とする。
【０００６】
【課題を解決するための手段】
上記目的に沿う本発明の構成は、身体の方向に長い楕円形のキルティングを中央部に形成した敷布団と、両側部と下部に中央に向けて山形の互いに交叉しないキルティングを形成した掛布団と、を具備したことを特徴とする。
【０００７】
要するに本発明は、身体の大部分が位置する敷布団に楕円状のなだらかな凸部を形成し、該凸部を凹部となるようにした掛布団とで身体を挟持するようにして、身体を一体的に隙間なく保持したことを要旨とするものである。
【０００８】
掛布団の上端に頭部の出る凹部を形成すると、身体をほぼ完全に包んだようにできることから特に好ましい（請求項２）。
【０００９】
本発明に使用する掛布団の中綿としては、特にポリエステルの短繊維を使用するのが、身体に密着するように折曲し易いことから好ましい（請求項３）。
【００１０】
敷布団の楕円形キルティングには、他部の１．５倍〜２．５倍の中綿を入れて、他部より若干なだらかに高くなるように形成することにより、身体を隙間なく挟持できることから好ましい（請求項４）。
【００１１】
敷布団の上下には、楕円形のキルティング方向に山形の楕円形キルティングとは交叉しないキルティングを施すのが好ましい（請求項５）。
【００１２】
【発明の実施の形態】
次に、本発明の実施の形態を図面に基づいて説明する。
【００１３】
図１は、本発明の掛布団の一実施例を示すものであり、掛布団１の上端には、凹状の切欠部２が形成され、周縁には表地と裏地とで中綿を固定するキルティング３が四角形状に施されている。
【００１４】
キルティング３内の両側部には、中央に向けて山形のアーチ状キルティング４，４´が形成されている。このようにキルティング４，４´を形成することによって、人間が横臥して切欠部２から顔を出した状態では、キルティング４と４´とで挟まれたＤ部は凸状になり、キルティング４，４´と布団の両端との間のＡ部とＢ部は、キルティング４，４´に沿って折れて、身体に十分フィツトする。
【００１５】
掛布団の下部には、上方に向けて山形のアーチ状キルティング５が形成されている。このように形成することによって、キルティング５と掛布団下端との間のＣ部は、下方に向けて折れ曲がるので、足元を包み込み、足の冷えを防止する。
【００１６】
図２は、本発明の敷布団６の一実施例を示すものであり、中央部に布団の長さ方向に長い楕円形のキルティング７が形成されている。このキルティング７に身体の首部から膝部までが位置するようになっている。
【００１７】
キルティング７には、中綿が他部の約２倍充填されている。従って、楕円形のキルティング７の部分Ｅは、若干高くなっているので、身体が横臥した状態で、掛布団と一緒に、身体を包み込むことができ、身体を快適な保温状態とすることができる。尚、四角形よりも楕円形の方が身体に十分フィットすることが実験により確認されている。
【００１８】
キルティング７の外側には、略長方形のキルティングであって、その上部と下部とが、中央に向けて山形のアーチ状に形成されたキルティング８，８´と両側部が平行な中綿を固定するキルティング９，９´とが、楕円形のキルティング７への近接部を形成するように施されている。このように形成することによって、中綿が移動し難くなり、楕円形のＥ部を若干高い状態に長期間維持することができると共に、キルティングの糸目８又は８´が膝部若しくはその近傍にくるので、寝心地の良い状態で就寝することができる。
【００１９】
敷布団の周縁には表地と裏地とで中綿を閉じ合わせるヘム１０が四角形状に施されている。
【００２０】
本発明に使用する中綿は、特に限定されないが、掛布団には特にポリエステルの短繊維を使用するのが好ましい。キルティングにより折れ曲がり易くなり、身体に十分フィットする掛布団とすることができるからである。
【００２１】
また中綿に遠赤外線を発するセラミックスを混入させておけば、遠赤外線による保温効果も得られる。
【００２２】
上記のように形成された敷布団と掛布団を使用し、切欠部２から頭を出して就寝すると、肩口は閉じられるので、肩口からの冷気の進入を防止することができる。また、キルティング４，４´に挟まれたＤ部が人間の体によって上昇すると、アーチ状のキルティング４，４´は折れ曲がって身体に隙間なく密着する。同時に掛布団後部のキルティング５も下方に向けて折れ曲がって足元を包み込む。
【００２３】
この際、敷布団６の長い楕円形のキルティング７の上に、首からひざまでが乗って若干上昇しているので、敷布団と掛布団で身体を包んだように十分フィットした状態となり、冬季でも温かく且つ快適に睡眠することができる。
【００２４】
【発明の効果】
以上述べた如く、本発明によれば、敷布団と掛布団とで身体を包み込むように密着保持するので、温まった空気が逃げ難くなるから、冬場でも布団を特に厚くすることなく、温かく且つ快適に睡眠することができる。
【図面の簡単な説明】
【図１】本発明の掛布団の一実施例を示す平面図である。
【図２】本発明の敷布団の一実施例を示す平面図である。
【符号の説明】
１……掛布団
２……凹状の切欠部
３……中綿を固定するキルティング
４，４´……掛布団両側部のアーチ状キルティング
５……掛布団下部のアーチ状キルティング
６……敷布団
７……敷布団の楕円形キルティング
８，８´……敷布団上部と下部とに形成されたアーチ状キルティング
９，９´……両側部の平行なキルティング
１０……ヘム
【図１】
2004160063.tif 000003
【図２】
2004160063.tif 000004